(57)【要約】【課題】撒液用の液体中に含まれる砂や泥等の異物を確実に捕捉できると共に、これらの異物によるフィルター詰まりが殆ど発生しない撒液システム用の濾過装置、並びに、当該濾過装置を備えた撒液システムの提供を目的とする。【解決手段】撒液システムは、給水流路の中途に濾過装置１０を配した構成とされている。濾過装置１０は、井戸や河川から汲み上げられた農業用水が流入する入水室１２を有し、この上端側にフィルター３０が装着された構成とされている。フィルター３０は、単繊維からなる経糸と緯糸とを編み込んだ布を袋状に縫製したものであり、入水室１２の上端側の開口に被さっている。フィルター３０は、単繊維を編み込んだ布により構成されているため、農業用水中に含まれている砂や泥等の異物による目詰まりが起こりにくい。【選択図】図３
2006320317.tif 000002
【特許請求の範囲】
【請求項１】
撒液に用いられる散液体に供給するための液体を濾過する撒液システム用の濾過装置であって、
外部から液体が流入する処理液流入部と、
当該処理液流入部に流入した液体中に含まれる異物の通過を阻止する濾過手段と、
当該濾過手段を通過した液体を撒液体に向けて送液する送液部とを有し、
前記濾過手段は、単繊維によって構成されていることを特徴とする撒液システム用の濾過装置。
【請求項２】
処理液流入部が外部から液体を導入可能な筒体により構成されており、
当該筒体に流入する液体の流れ方向下流側に、液体を流出するための流出口を有し、
濾過手段は、前記流出口から流出する液体を濾過するものであり、
前記流出口よりも筒体に流入する液体の流れ方向上流側には、濾過手段によって通過を阻止された異物が集積される集積部が設けられており、当該集積部には、異物を排出するための異物排出口が設けられていることを特徴とする請求項１に記載の撒液システム用の濾過装置。
【請求項３】
処理液流入部は、外部から液体を導入可能な筒体により構成されており、上端側に筒体内に導入された液体を流出する流出口を有するものであり、
濾過手段は、処理液流入部の上端側の流出口に覆い被さるように装着され、流出口から流出する液体を濾過するものであり、
処理液流入部の下端側には、濾過手段によって通過を阻止された異物が集積される集積部が設けられており、当該集積部には、異物を排出するための異物排出口が設けられていることを特徴とする請求項１に記載の撒液システム用の濾過装置。
【請求項４】
筒体の内部を流れる液体の流れ方向下流側には、骨格構造部が設けられており、当該骨格構造部に濾過手段が装着されていることを特徴とする請求項２又は３に記載の撒液システム用の濾過装置。
【請求項５】
濾過手段の外側に保護部材が設けられており、濾過手段に対して処理液流入部の内側から外側に向かう方向に液体が流出することにより、濾過手段の一部又は全部が保護部材の内壁面に張り付くことを特徴とする請求項１乃至４のいずれかに記載の撒液システム用の濾過装置。
【請求項６】
濾過手段に対して処理液流入部の外側から内側に向かう方向に液体を噴霧可能な噴霧手段が設けられていることを特徴とする請求項１乃至５のいずれかに記載の撒液システム用の濾過装置。
【請求項７】
処理液流入部の内側に浄化液流入部を有し、
当該浄化液流入部の外側に濾過手段が装着されており、
処理液流入部に流入した液体を処理液流入部側から濾過手段を通過させ、浄化液流入部側へ流入させることにより液体を濾過可能なものであり、
処理液流入部に流入する液体を前記浄化液流入部の外側に配された濾過手段に沿って流れる旋回流とすることが可能な旋回流発生手段を有することを特徴とする請求項１に記載の撒液システム用の濾過装置。
【請求項８】
浄化液流入部が筒状であり、外周に多数の開口を有するものであり、
当該開口の大きさが液体に含まれている異物の通過を阻止可能な大きさであることを特徴とする請求項７に記載の撒液システム用の濾過装置。
【請求項９】
濾過手段は、単繊維によって構成される経糸と緯糸とが互いに摺動可能なように編み込まれたものであることを特徴とする請求項１乃至８のいずれかに記載の撒液システム用の濾過装置。
【請求項１０】
濾過手段は、単繊維によって構成される経糸と緯糸とが交差した網目状のものであり、目開きが５０μｍ以上１００μｍ以下であることを特徴とする請求項１乃至９のいずれかに記載の撒液システム用の濾過装置。
【発明の詳細な説明】
【技術分野】
【０００１】
本発明は撒液システムに採用される濾過装置に関するものである。
【背景技術】
【０００２】
従来より、野菜や果実等の作物の栽培において、下記特許文献１や特許文献２に開示されているような撒液用チューブやスプリンクラーなどの散液体を農地に敷設し、河川や井戸から汲み上げた水等を撒液する撒液システムが採用されている。下記特許文献１，２のような撒液用チューブは、長尺状の管状体であって、その周囲に多数の小孔が穿孔されたものである。
【０００３】
【特許文献１】特開平９−２５２６７０号公報
【特許文献２】特開２０００−１７６３１９号公報
【０００４】
上記したように、特許文献１，２に開示されているような撒液用チューブは、小孔を設けたものである。また、スプリンクラーなどのような撒液体についても、液を散布するための小孔が設けられた構成となったものが多い。そのため、撒液用チューブ等の撒液体に供給される液体中に砂や泥等の異物が混じっていると、これらの異物が撒液用の小孔に詰まってしまい、うまく撒液できなくなってしまう。従って、撒液用チューブに供給される液体は、砂や泥といったような撒液用の小孔を閉塞するような異物が混じっていないことが望ましい。
【０００５】
しかし、灌水のために掘削された井戸や河川から汲み上げた水は、多くの場合砂や泥等の異物が混じっている。そのため、従来の撒液システムでは、液体を圧送するためのポンプと撒液用チューブ等の撒液体との間に砂等の異物を捕捉可能なフィルターを備えた濾過装置を配している。
【０００６】
従来技術において採用されている濾過装置の多くは、撒液用チューブのような撒液体の小孔を閉塞する程度の微細な砂等を液体から除去するために、多数の繊維を束ねて形成されたマルチフィラメントと称されるものを織り込んだフィルターを採用している。そのため、従来の撒液システムでは、液体中に含まれる砂等の異物による撒液体の小孔の閉塞が起こりにくく、農地に好適に撒液できる。
【発明の開示】
【発明が解決しようとする課題】
【０００７】
上記したように、従来技術の撒液システムでは、多数の繊維を束ねたマルチフィラメントを用いたフィルターを備えた濾過装置により異物を捕捉する構成とされている。そのため、従来技術において採用されている濾過装置では、異物を的確に捕捉することができる反面、フィルターを構成するマルチフィラメントの繊維同士の間に砂や泥等の異物が入り込んでしまい、目詰まりを起こしやすいという問題があった。
【０００８】
また、この種のフィルターは、多数の繊維をよりあわせたものをさらに編み込んだものであるため、ひとたび異物が繊維同士の間に入り込むと、異物を除去するのが困難であった。そのため、従来技術では、フィルターの掃除や交換等のメンテナンスを頻繁に行わねばならないという問題があった。
【０００９】
上記した問題に鑑み、本発明では、撒液用の液体中に含まれる砂や泥等の異物を確実に捕捉できると共に、これらの異物によるフィルター詰まりが殆ど発生しない撒液システム用の濾過装置の提供を目的とする。
【課題を解決するための手段】
【００１０】
そこで、上記した課題を解決すべく提供される請求項１に記載の発明は、撒液に用いられる散液体に供給するための液体を濾過する撒液システム用の濾過装置であって、外部から液体が流入する処理液流入部と、当該処理液流入部に流入した液体中に含まれる異物の通過を阻止する濾過手段と、当該濾過手段を通過した液体を撒液体に向けて送液する送液部とを有し、前記濾過手段が、単繊維によって構成されていることを特徴とする撒液システム用の濾過装置である。
【００１１】
本発明の撒液システム用濾過装置において採用されている濾過手段は、単繊維によって構成されている。そのため、本発明の濾過装置では、異物が繊維同士の間に入り込むことがない。さらに具体的には、従来技術の濾過装置のように多数の繊維を束ねた、いわゆるマルチフィラメントと称されるものによって構成される濾過手段を採用した場合は、異物がマルチフィラメントを構成する繊維同士の間に入り込んで抜けなくなり、目詰まりの原因となる。一方、本発明の濾過装置において採用している濾過手段は、単繊維によって構成されているため、繊維に異物が侵入する余地がない。そのため、本発明の濾過装置では、繊維中に異物が蓄積せず、濾過手段の目詰まりが発生しにくい。従って、本発明によれば、撒液システム用濾過装置のメンテナンス頻度を格段に低減することができる。
【００１２】
また、上記したように、本発明の撒液システム用濾過装置では、濾過手段として単繊維によって構成されるものが採用されるため、濾過手段が砂等の異物によって目詰まりしても容易に目詰まりを解消することができる。従って、本発明の撒液システム用濾過装置は、メンテナンスが容易である。
【００１３】
本発明の撒液システム用濾過装置は、濾過手段の目詰まりを容易に解消できるため、メンテナンスを行えば濾過手段を何度も再使用することができる。そのため、本発明の撒液システム用濾過装置によれば、濾過手段の交換頻度を低減し、ランニングコストを抑制することができる。
【００１４】
請求項２に記載の発明は、処理液流入部が外部から液体を導入可能な筒体により構成されており、当該筒体に流入する液体の流れ方向下流側に液体を流出するための流出口を有し、濾過手段が前記流出口から流出する液体を濾過するものであり、前記流出口よりも筒体に流入する液体の流れ方向上流側に濾過手段によって通過を阻止された異物が集積される集積部が設けられており、当該集積部に異物を排出するための異物排出口が設けられていることを特徴とする請求項１に記載の撒液システム用の濾過装置である。
【００１５】
かかる構成によれば、濾過手段によって液体中から分離された異物を処理液流入部から容易に除去できる。
【００１６】
請求項３に記載の発明は、処理液流入部が外部から液体を導入可能な筒体により構成されており、上端側に筒体内に導入された液体を流出する流出口を有するものであり、濾過手段が処理液流入部の上端側の流出口に覆い被さるように装着され、流出口から流出する液体を濾過するものであり、処理液流入部の下端側に濾過手段によって通過を阻止された異物が集積される集積部が設けられており、当該集積部に異物を排出するための異物排出口が設けられていることを特徴とする請求項１に記載の撒液システム用の濾過装置である。
【００１７】
上記したように、本発明の撒液システム用濾過装置では、異物が濾過手段の網目に殆ど入り込まない。本発明の撒液システム用濾過装置は、濾過手段を処理液流入部の上端側に形成された流出口に覆い被さるように装着したものであるため、処理液流入部への入水が停止すると、濾過手段によって液中から分離された異物は、処理液流入部の下端側に設けられた集積部に沈降して集積される。そのため、本発明の撒液システム用濾過装置は、異物排出口を介して濾過手段によって分離された異物を取り出すことができ、従来技術の濾過装置よりも濾過手段のメンテナンスを遙かに容易に行える。
【００１８】
請求項４に記載の発明は、筒体の内部を流れる液体の流れ方向下流側には、骨格構造部が設けられており、当該骨格構造部に濾過手段が装着されていることを特徴とする請求項２又は３に記載の撒液システム用の濾過装置である。
【００１９】
本発明の撒液システム用濾過装置は、濾過手段を装着するための骨格構造部を有するため、濾過作業の完了後に通液が停止した状態になっても濾過手段が突っ張った状態に維持される。従って、本発明の濾過装置は、濾過完了時に通水が停止すると、濾過手段によって捕捉された砂や泥等の異物が濾過手段からスムーズに剥がれ落ちる。そのため、本発明の濾過装置は、濾過手段の目詰まりが起こりにくい。
【００２０】
また、上記請求項１乃至４のいずれかに記載の撒液システム用の濾過装置は、濾過手段の外側に保護部材が設けられており、濾過手段に対して処理液流入部の内側から外側に向かう方向に液体が流出することにより、濾過手段の一部又は全部が保護部材の内壁面に張り付く構成であることが望ましい（請求項５）。
【００２１】
かかる構成によれば、液体が通過する際に濾過手段に作用する圧力を緩和でき、濾過手段の劣化を最小限に抑制できる。
【００２２】
請求項６に記載の発明は、濾過手段に対して処理液流入部の外側から内側に向かう方向に液体を噴霧可能な噴霧手段が設けられていることを特徴とする請求項１乃至５のいずれかに記載の撒液システム用の濾過装置である。
【００２３】
本発明の撒液システム用濾過装置は、濾過手段に対して処理液流入部の外側から内側に向かう方向、すなわち液体の濾過動作時に発生する液体の流れ方向とは反対方向に液体を噴霧可能な噴霧手段を有する。そのため、本発明の濾過装置は、万一濾過動作によって濾過手段が目詰まり等を起こしていても、噴霧手段を作動させることによって発生する噴流によって濾過手段に付着している砂や泥を落とし、濾過手段の目詰まりを解消できる。
【００２４】
請求項７に記載の発明は、処理液流入部の内側に浄化液流入部を有し、当該浄化液流入部の外側に濾過手段が装着されており、処理液流入部に流入した液体を処理液流入部側から濾過手段を通過させ、浄化液流入部側へ流入させることにより液体を濾過可能なものであり、処理液流入部に流入する液体を前記浄化液流入部の外側に配された濾過手段に沿って流れる旋回流とすることが可能な旋回流発生手段を有することを特徴とする請求項１に記載の撒液システム用の濾過装置である。
【００２５】
本発明の濾過装置は、旋回流発生装置を有し、外部から処理液流入部に流入する液体を濾過手段に沿って流れる旋回流とすることができ、液体を濾過手段全体において略均一に濾過することができる。そのため、本発明の濾過装置では、外部から流入した液体が濾過手段の一部に集中的に流れたり、濾過手段の一部に砂や泥等の異物が集中する可能性が低い。従って、本発明の濾過装置によれば、濾過手段全体で略均一に農業用水を濾過することができ、濾過手段全体を液体の濾過のために有効利用することができる。また、本発明の濾過装置によれば、砂や泥等の異物が一部に集中しないため、濾過手段の清掃や交換等のメンテナンスの頻度を最小限に抑制することができる。
【００２６】
また、上記請求項７に記載の撒液システム用の濾過装置は、浄化液流入部が筒状であり、外周に多数の開口を有するものであり、当該開口の大きさが液体に含まれている異物の通過を阻止可能な大きさであることを特徴とするものであってもよい（請求項８）。
【００２７】
本発明の濾過装置において、浄化液流入部は、外周に異物の通過を阻止可能な大きさの開口が多数設けられたものであるため、浄化液流入部自身が異物を除去するためのフィルターとしての機能を発揮できる。すなわち、本発明の濾過装置は、浄化液流入部の外側に配された濾過手段に加えて浄化液流入部までもがフィルターとして機能する。そのため、本発明によれば、液体中に含まれている異物をより一層確実に捕捉でき、濾過能力に優れた濾過装置を提供できる。
【００２８】
また、本発明の濾過装置では、浄化液流入部の外側に濾過手段を装着したものであるため、濾過手段を通過して浄化液流入部において捕捉される異物はごく少量であると想定される。すなわち、本発明の濾過装置は、比較的容易に捕捉した異物を除去可能な濾過手段によって液体中に含まれる異物の大部分が捕捉されるため、浄化液流入部に設けられた開口に異物が噛み込む等して浄化液流入部が目詰まりを起こす可能性が低い。従って、本発明によれば、浄化液流入部の洗浄や交換等、浄化液流入部に関するメンテナンスの実施頻度を最小限に抑制できる。
【００２９】
請求項９に記載の発明は、濾過手段が単繊維によって構成される経糸と緯糸とが互いに摺動可能なように編み込まれたものであることを特徴とする請求項１乃至８のいずれかに記載の撒液システム用の濾過装置である。
【００３０】
本発明の撒液システム用濾過装置では、濾過手段が単繊維によって構成される経糸と緯糸とが編み込まれたものを採用しているが、経糸と緯糸とが互いに摺動可能であるため、仮に経糸と緯糸とで形成される網目に砂や泥等の異物が挟まっても簡単に脱落する。そのため、本発明の濾過装置は、濾過手段の目詰まりや、目詰まりに伴う濾過能力の低下が起こりにくい。
【００３１】
上記請求項１乃至９のいずれかに記載の撒液システム用の濾過装置において、濾過手段は単繊維によって構成される経糸と緯糸とが交差した網目状のものであり、目開きが５０μｍ以上１００μｍであることが望ましい。（請求項１０）
【００３２】
上記請求項１乃至１０のいずれかに記載の濾過装置は、液体を撒液用小孔から撒液可能な撒液体とを備え、当該濾過装置が前記撒液体よりも液体の流れ方向上流側に配されていることを特徴とする撒液システムに採用できる。
【００３３】
かかる構成の撒液システムでは、上記各請求項のいずれかに記載の濾過装置によって砂や泥等の異物が除去された液体が撒液用チューブ等の撒液体に供給されるため、異物による撒液用小孔の目詰まりが起こらない。従って、前記したような構成の撒液システムによれば、撒液体が設置された農地に均一に撒液できる。
【００３４】
また、請求項１乃至１０のいずれかに記載の濾過装置を撒液システムに採用する場合、濾過手段は、単繊維によって構成される経糸と緯糸とが交差した網目状のものであり、当該濾過手段の目開きの大きさが、撒液用小孔の開口径よりも小さいことが望ましい。かかる構成によれば、撒液用チューブやスプリンクラー等の撒液体に撒液用小孔を詰まらせる原因となる砂や泥といったような異物が流入するのを確実に防止できる。
【発明の効果】
【００３５】
本発明によれば、濾過手段の目詰まりを最小限に抑制でき、メンテナンスが容易な撒液システム用の濾過装置を提供できる。
【発明を実施するための最良の形態】
【００３６】
続いて、本発明の一実施形態である撒液システムおよび濾過装置について図面を参照しながら詳細に説明する。図１において、１は本実施形態の撒液システムである。撒液システム１は、大別して農地Ｆに灌水するための灌水流路２と、河川や農業用の井戸のような水源から水を汲み上げて灌水流路２に水を供給する給水流路３とから構成されている。
【００３７】
灌水流路２は、図１に示すように農地Ｆに配された複数の撒液用チューブ５によって構成されている。撒液用チューブ５は、例えば、住化農業資材株式会社製の商品名「スミサンスイＲ  露地ワイド」に代表されるようなチューブが採用される。撒液用チューブ５は、長手方向に所定の間隔毎に小孔８が設けられた構成となっている。撒液用チューブ５の内部を流れる農業用水は小孔８から農地Ｆに吐出される。
【００３８】
給水流路３は、農地Ｆに隣接する位置に掘削された農業用の井戸から汲み上げた農業用水を分配管６を介して各撒液用チューブ５に供給する流路である。給水流路３の中途には、ポンプ９と濾過装置１０とが設けられている。
【００３９】
濾過装置１０は、給水流路３中を流れる農業用水中に含まれる砂や泥等の異物を捕捉するトラップとして機能するものである。濾過装置１０は、図３，図４に示すようにカプセル状の本体部１１の内側に配された筒体２３によって入水室（処理液流入部）１２が形成され、入水室１２の上方側の開口部分にフィルター３０を装着したものである。本体部１１は、図２や図３に示すように、下方本体部１３と上方本体部１５とによって構成されており、上下に分割可能である。入水室１２を構成する筒体２３は、下方本体部１３の略中央部を上下に貫通している。
【００４０】
下方本体部１３は、図２や図３に示すように上端側が開口した桶状の部材である。下方本体部１３は、上端側に径方向外側に延出したフランジ１６を有し、側方に出水口１７が設けられている。出水口１７は、下方本体部１３の内部空間と連通しており、後述する浄化水流入室３６内の農業用水を撒液用チューブ５に向けて送液するためのものであり、給水流路３に接続されている。また、下方本体部１３は、外周に設けられた脚部材１４によって上端側を上方に向けた姿勢で地上に設置可能とされている。
【００４１】
入水室１２を構成する筒体２３は、下方本体部１３の底面の略中央部から下方に向けて突出し、下方本体部１３に対して水密となるように固定されている。筒体２３は、上端側が開口しており、下端側が閉塞された筒体である。筒体２３のうち、下方本体部１３の底面よりも下方に突出した部位の側方には、外部の水源から農業用水を導入するための入水口１８が設けられている。すなわち、濾過装置１０は、入水口１８を介して給水流路３に接続されている。また、筒体２３の下端側の閉塞部分近傍の部位は、後述するフィルター３０を通過しなかった砂や泥等の異物が溜まる集積部１９として機能する。筒体２３の下端側の略中央部には、集積部１９に溜まった砂や泥等を排出するための排出部２０が設けられている。排出部２０は、常時は蓋２０ａにより閉塞されているが、必要に応じて蓋２０ａを取り外し、集積部１９に溜まった砂や泥等の異物を排出することができる。
【００４２】
入水室１２を構成する筒体２３の上端側の開口部分には、フィルター３０の形状に合わせてフィルター支持体（骨格構造部）２１が固定されている。本実施形態では、フィルター支持体２１は、図２や図３に示すように、略「コ」字形に折り曲げた鉄筋やパイプ等の支持部材２２を２本組み合わせて構成される骨格構造体とされている。支持部材２２は、筒体２３の軸方向に向けて延伸する延伸部２２ａ，２２ａと、筒体２３の開口部分を横断する横断部２２ｂとから構成されている。支持部材２２，２２は、それぞれ延伸部２２ａ，２２ａの端部が入水室１２を構成する筒体２３の上端部に固定されており、横断部２２ｂ，２２ｂがそれぞれ略直交している。
【００４３】
フィルター支持体２１には、図２や図３のように入水室１２の上端側の開口部分に覆い被さるようにフィルター３０が装着されている。フィルター３０は、図５（ｂ）のように単繊維によって構成される経糸３１ａと緯糸３１ｂとを編んで構成される布３１を図５（ｃ）に示すように二重に重ね、袋状に縫製したものである。
【００４４】
さらに具体的に説明すると、フィルター３０は、単繊維状の合成繊維を編んで構成される布３１を二重に重ねたものを袋状に縫製したものである。フィルター３０を構成する布３１の繊維は、例えば、ナイロン等のポリアミド系高分子化合物、ポリエステル、ポリエチレン、ポリプロピレンおよびビニロン等のポリビニルアルコール系合成繊維等によって構成することができる。布３１は、前記した合成繊維から１種類を選択して編んだものであってもよく、２種類以上の合成繊維を選択して編んだものであってもよい。布３１は、縫製の容易さや引っ張り強度の高さを考慮するとポリエチレン製の単繊維を編み込んだものとすることが望ましい。
【００４５】
布３１は、不織布または織物のシートにより構成することができる。布３１が織物によって構成される場合は、経糸３１ａと緯糸３１ｂとの交差部３１ｃが接着等の手法で固定されていてもよいが、交差部３１ｃは固定されていないことがより好ましい。交差部３１ｃにおいて経糸３１ａと緯糸３１ｂとを固定しない構成とすれば、仮に経糸３１ａと緯糸３１ｂとで形成される網目に砂や泥等の異物が挟まっても異物は簡単に脱落する。また、布３１は、農業用水が通過することによって揺れ動くため、布３１の表面に捕捉された異物は簡単に振り落とされる。そのため、フィルター３０は、目詰まりや、これによる濾過能力の低下が起こりにくい。
【００４６】
フィルター３０を構成する布３１は、目開きは、５０［μｍ］以上２００［μｍ］以下の範囲内であることが好ましく、５０［μｍ］以上１００［μｍ］以下であることがより一層好ましい。布３１の目開きは、井戸等の給水源から供給される農業用水の水質や、農業用水に紛れて流れてくる砂や泥等に代表される異物の粒径に応じて適宜調整することができる。
【００４７】
フィルター３０は、フィルター支持体２１に被さる大きさの袋状に縫製されている。フィルター３０の開口端は、図３等に示すように筒体２３の上端部にベルト状の固定具３２によってしっかりと固定されている。これにより、フィルター３０は、フィルター支持体２１の支持部材２２に沿って広がり、突っ張った状態となる。
【００４８】
上方本体部１５は、図２や図３等に示すように上端側が閉塞され下端側が開口した略円筒形の部材である。上方本体部１５は、下端側にフランジ３５を有する。上方本体部１５は、図３に示すように、フランジ３５を下方本体部１３のフランジ１６に突き合わせて両者をネジ止めすることにより下方本体部１３の上方に覆い被さるように装着され、内部に浄化水流入室３６を形成する。浄化水流入室３６は、下方本体部１３の側方に設けられた出水口１７を介して外部と連通している。また、上方本体部１５の頂部には、浄化水流入室３６内の内圧を緩衝するための緩衝装置３７（調圧弁）が取り付けられている。
【００４９】
続いて、本実施形態の撒液システム１の動作について、濾過装置１０の動作を中心に説明する。撒液システム１は、給水流路３の中途に設けられたポンプ９を起動することにより動作を開始する。ポンプ９が起動すると、図示しない農業用の井戸や河川に存在する農業用水が給水流路３に汲み上げられる。農業用水は、給水流路３の上流側に設けられている濾過装置１０の入水室１２内に入水口１８から流入する。
【００５０】
入水室１２内に流入した農業用水は、筒体２３の上端側、すなわち入水室１２内に流入した農業用水の流れ方向下流側に装着されているフィルター３０を通過し、浄化水流入室３６に流入する。この際、農業用水中に混入している砂や泥等の異物がフィルター３０によって捕捉される。そのため、浄化水流入室３６内に流入した農業用水には、砂や泥等の異物が殆ど混入していない。
【００５１】
浄化水流入室３６に流入した清浄な農業用水は、出水口１７に接続された給水流路３を介してさらに下流側に送られ、分配管６に接続された各撒液用チューブ５に流入する。撒液用チューブ５に農業用水が流入すると、図２（ａ）のように扁平であった撒液用チューブ５が図２（ｂ）のように膨張し、内部が高圧となる。そのため、撒液用チューブ５内を流れる農業用水は小孔８から噴出する。
【００５２】
上記したようにして農地Ｆへの撒液が完了すると、ポンプ９が停止され、濾過装置１０の内圧が低下する。ここで、上記したように、フィルター３０は、単繊維によって構成される経糸３１ａと緯糸３１ｂとを編み込んだ布３１によって形成されており、経糸３１ａと緯糸３１ｂとが自由に摺動できる。そのため、異物は、布３１の網目に砂や泥等の異物が挟まっても布３１から簡単に脱落する。さらに、本実施形態の濾過装置１０では、農業用水がフィルター３０を通過すると、フィルター３０が揺動し、これにより異物が振り落とされる。従って、ポンプ９が停止すると、農地Ｆへの撒液中に水圧によりフィルター３０に付着していた砂や泥等の異物が筒体２３の下端側、すなわち入水室１２における農業用水の流れ方向上流側に位置する集積部１９に沈降する。ポンプ９の停止後、排出部２０の蓋２０ａを開けると、集積部１９に沈降した異物が筒体２３内に残存している農業用水と共に排出される。
【００５３】
上記したように、本実施形態の撒液システム１では、給水流路３の中途に設けられた濾過装置１０によって給水源から汲み上げた農業用水を濾過して撒液用チューブ５に供給する構成であるため、砂や泥といったような異物が撒液用チューブ５の小孔８を塞ぐことによる撒液不良が殆ど起こらない。
【００５４】
また、上記実施形態において採用されている濾過装置１０は、単繊維からなる布３１を素材として構成されるフィルター３０を採用しているため、さほど頻繁に清掃等のメンテナンスを行わなくても砂や泥がフィルター３０に蓄積しにくい。さらに、フィルター３０は、単繊維からなる経糸３１ａと緯糸３１ｂとを編み込んだものであるため、万一目詰まりを起こしたとしても、多数の繊維を束ねて形成されたいわゆるマルチフィラメントと称されるものによって構成されるフィルターを採用した場合に比べて容易に異物を取り除くことができる。これに加えて、濾過装置１０では、農業用水がフィルター３０を通過すると、フィルター３０が揺動し、異物が振り落とされる。さらに、フィルター３０を構成する布３１は、経糸３１ａと緯糸３１ｂとが自由に摺動できるため、仮に布３１の網目に異物が挟まったとしても布３１から簡単に脱落する。そのため、フィルター３０は、目詰まりが起こりにくい。従って、濾過装置１０は、フィルター３０のメンテナンスに手間がかからない。
【００５５】
上記したように、フィルター３０は、砂や泥等の異物を簡単に取り除くことができるため、長年にわたって繰り返し使用できる。そのため、濾過装置１０およびこれを採用した撒液システム１は、フィルター３０の交換頻度が少なくて済み、その分だけランニングコストを抑制することができる。
【００５６】
また、濾過装置１０は、入水室１２を構成する筒体２３の上端側に農業用水を浄化水流入室３６側に流出可能な開口（流出口）が形成されており、フィルター３０が入水室１２の上端側の開口に覆い被さるように装着されている。そのため、ポンプ９が停止して農業用水の濾過動作が完了すると、入水室１２の下端側に設けられた集積部１９に砂や泥等の異物が沈降し、排出部２０の蓋２０ａを開けることにより異物を濾過装置１０の外部に排出できる。従って、濾過装置１０は、本体部１１を分解しなくてもフィルター３０によって捕捉された異物を取り出すことができ、メンテナンスを遙かに容易に行える。
【００５７】
濾過装置１０は、筒状の入水室１２の上端側に設けられたフィルター支持体２１にフィルター３０を装着する構成とされており、フィルター３０を構成する布３１が突っ張った状態となっている。そのため、濾過装置１０は、濾過作業の完了後に通水が停止してもフィルター３０が突っ張った状態に維持し、フィルター３０同士が重なりあったりしない。従って、濾過装置１０は、濾過完了時に通水が停止すると、フィルター３０によって捕捉された砂や泥等の異物がフィルター３０からスムーズに剥がれ落ち、沈降する。
【００５８】
上記したように、濾過装置１０に採用されているフィルター３０は、農業用水中に含まれている砂や泥による目詰まりが起こりにくいものである。しかし、農業用水中には、砂や泥等のような異物の他に、農業用水中に溶存している鉄分や、水垢、有機微生物等が含まれている可能性がある。このような農業用水を用いて長期にわたって撒液を行うと、農業用水中に溶存している鉄分や水垢等がフィルターに析出したり、農業用水中の鉄分が酸化してできる酸化鉄や、有機微生物によって発生するスライム等が被膜を形成してフィルター３０の目を詰まらせる可能性がある。
【００５９】
かかる事態が想定される場合は、上方本体部１５にフィルター３０に対して噴霧可能なシャワー等の噴霧手段を設けた構成とすることが望ましい。かかる構成とする場合は、例えば図６や図７に示すような噴霧手段４１を採用することができる。さらに具体的に説明すると、濾過装置１０に噴霧手段４１を設ける場合は、上方本体部１５の頂部に噴霧用入水口４５が設けられる。噴霧用入水口４５には、入水室１２に対して農業用水を導入するための入水配管４３ａの中途において分岐された分岐配管４３ｂが接続される。
【００６０】
分岐配管４３ｂの末端部分（下流端側）には、シャワーヘッド５０が接続されている。分岐配管４３ｂの中途には、濾過装置４７と噴霧バルブ４８とが設けられている。濾過装置４７は、シャワーヘッド５０に向かう農業用水を濾過するためのものである。シャワーヘッド５０は、上方本体部１５の内側に設置されており、フィルター３０に向けて水を噴出するためのものである。
【００６１】
入水配管４３ａの中途であって、分岐配管４３ｂとの分岐部分よりも農業用水の流れ方向下流側（本体部１１側）の位置には、入水バルブ４９が設けられている。そのため、入水バルブ４９を閉じ、噴霧バルブ４８を開いた状態でポンプ９を起動して井戸等の給水源から農業用水を汲み上げると、農業用水が分岐配管４３ｂを流れてシャワーヘッド５０に至り、本体部１１内に設置されたフィルター３０に吹き付けられる。これによりフィルター３０に付着していた砂や泥等の異物や、鉄分や水垢、酸化鉄や、有機微生物によって発生するスライム等の異物が洗い流され、フィルター３０が次第に清浄な状態になる。
【００６２】
上記したようにしてフィルター３０を洗浄すると、フィルター３０に付着していた砂や泥をはじめとする異物が入水室１２の下端部側の集積部１９に集まる。すなわち、フィルター３０に付着している付着物や、フィルター３０の目に詰まっている異物が、フィルター３０の外側（浄化水流入室３６側）から筒体２３の内側（入水室１２側）に向かう噴流によって入水室１２の上端側から下端側に押し流される。そのため、ある程度の時間に渡って噴霧手段４１を作動させると、フィルター３０が清浄な状態となり、フィルター３０の目詰まりを解消できる。また、噴霧手段４１を動作させてフィルター３０を洗浄している間、あるいは洗浄後に図６に示すように排出部２０の蓋２０ａを取り外し集積部１９に集まった水を排出することにより、前記した異物等を濾過装置１０の外部に完全に排出することができる。
【００６３】
なお、上記した噴霧手段４１を設ける場合に配管４６の中途に設けられる濾過装置４７は、従来公知の濾過装置と同様の構成のものであってもよいが、濾過装置１０に用いられているフィルター３０と同様のフィルターを内蔵した構成とすれば、濾過装置４７のメンテナンスについても簡略化できる。
【００６４】
上記した濾過装置１０は、入水室１２の下方から井戸や河川から汲み上げた農業用水を導入し、入水室１２の上端側に設けられたフィルター３０を通過させることにより農業用水の浄化を行うものであったが、本発明はこれに限定されるものではなく、濾過装置１０における上下関係が逆転したものであってもよい。すなわち、図８に示すように入水口１８を入水室１２の上端側に設け、フィルター３０を入水室１２の下端側に設けた構成としてもよい。かかる構成とした場合は、フィルター３０によって捕捉された異物がフィルター３０上に残るため、この異物を除去するために本体部１１を分解する必要があるが、フィルター３０の目詰まりが起こりにくく、従来公知の濾過装置に比べてフィルター３０の清掃等のメンテナンスに要する手間が少なくて済む。
【００６５】
また、上記したように濾過装置１０は、入水室１２内において農業用水を上下方向に通水させる構造とされていたが、本発明はこれに限定されるものではなく、例えば図９に示すように横置き状態あるいは傾斜した状態となるように設置し、水平方向に農業用水を通水させる構成としてもよい。濾過装置１０を傾斜した状態で設置する場合は、上記したように濾過装置１０を立設した場合と同様に濾過動作に伴う入水室１２への通水が完了すると、フィルター３０によって捕捉された異物が入水室１２内で沈降するため、異物の沈降位置に併せて排出部２０を設けることにより、農業用水から除去された異物を容易に外部に排出できる。また、濾過装置１０を横置き状態とした場合は、濾過動作が完了するとフィルター３０によって捕捉された異物はフィルター３０の近傍に沈降するものと想定される。そのため、濾過装置１０を横置きとする場合は、濾過動作の完了時にフィルター３０によって捕捉された異物が集まると想定される部分を集積部１９とし、この近傍に別途排出部を設けた構成とすることが望ましい。
【００６６】
上記実施形態において、フィルター３０は、布３１を袋状に縫製したものであったが、本発明はこれに限定されるものではなく、例えばいわゆるシームレス加工を採用するなどして、縫い目のない形状のものとすることも可能である。このようにフィルター３０を縫い目部分が全くない、あるいは殆どないものとすれば、縫い目部分に砂や泥が溜まるのを防止でき、フィルター３０の濾過能力の経年劣化を防止できる。
【００６７】
また、上記したフィルター３０は、布３１を二重に重ねたものを袋状に縫製したものであったが、本発明はこれに限定されるものではなく、さらに多層に重ね合わせたものであっても、単層のものであってもよい。また、濾過装置１０は、フィルター３０を突っ張った状態で装着するために支持部材２２を設けたものであったが、例えば支持部材２２を設けずに袋状のフィルター３０を装着した構成としたり、支持部材２２を設けずに入水室１２の上端側の開口を閉塞するように布３１を張ったものであってもよい。
【００６８】
フィルター３０を構成する布３１は、合成繊維によって構成される単繊維状の経糸３１ａと緯糸３１ｂとを編み込んだものであったが、布３１として編み込む前の経糸３１ａや緯糸３１ｂの時点、あるいは、布３１として編み込まれた時点でポリテトラフロロエチレン樹脂（ＰＴＦＥ）等の砂や泥等の異物や水垢、酸化鉄や、有機微生物によって発生するスライム等が付着しにくい物質を付着させて表面処理を施したものであってもよい。かかる構成によれば、フィルター３０の目詰まりをより一層確実に防止できる。
【００６９】
ここで、上記実施形態において例示した濾過装置１０は、図３等に示すように支持部材２２の外側からフィルター３０を被せ、固定具３２によって筒体２３に対して固定した構造である。そのため、濾過作業中にフィルター３０に対して水圧がかかるとフィルター３０が引っ張られて固定具３２による固定部分等に応力が集中した状態となり、フィルター３０の寿命が縮まる可能性がある。
【００７０】
そこで、かかる知見に基づき、濾過装置１０は、図１０や図１１に示すように、保護筒５５と押さえ部材５６とを備えた保護部材５３をフィルター３０の外周に配することにより、フィルター３０を保護した構成としてもよい。さらに具体的に説明すると、濾過装置１０は、通液性を有する筒状の保護筒５５をフィルター３０の外周にほぼ密着するように装着し、押さえ部材５６によって保護筒５５を上方から押さえ込んで固定した構成としてもよい。
【００７１】
さらに詳細に説明すると、保護筒５５は、パンチングメタル（多孔板）や金網等によって構成され、その外径が下方本体部１３側の筒体２３と略同一であり、上端側および下端側が開口した肉薄の筒体である。保護筒５５は、図１０に示すように、フィルター支持体２１に対して装着されたフィルター３０の外周に沿い、下端部が下方本体部１３の底面に突き当たるように装着される。
【００７２】
図１０や図１１に示すように、保護筒５５の上端側の開口部分には、押さえ部材５６が装着される。押さえ部材５６は、図１１に示すように保護筒５５の上端側の開口部分を閉塞する閉塞部５７と、支持片５８とに大別される。閉塞部５７は、円盤形であり、保護筒５５の内側に嵌り込み、保護筒５５の開口部分を閉塞する蓋部５７ａと、蓋部５７ａから外側に張り出したフランジ部５７ｂとに大別される。蓋部５７ａは、支持片５８に対して反対側に突出している。また、フランジ部５７ｂは、外径が保護筒５５の外径よりも僅かに大きい。そのため、蓋部５７ａを保護筒５５の上端側の開口部分に嵌め込むと、図１０に示すようにフランジ部５７ｂが保護筒５５の縁に突き当たった状態となる。
【００７３】
支持片５８は、図１０や図１１に示すように、蓋部５７ａとは反対方向に突出した薄い板状の部材である。本実施形態では、４枚の支持片５８が閉塞部５７に対して一体化されている。支持片５８は、それぞれ閉塞部５７の略中心に放射状に配されており、閉塞部５７の周方向に等間隔に配されている。支持片５８は、保護筒５５の上端部に蓋部５７ａを嵌め込んだ状態で、上方から上方本体部１５を被せて下方本体部１３と一体化することによって上方本体部１５の上端側の内壁面に突き当たる形状とされている。そのため、フィルター３０の外側に保護筒５５を装着し、その上端部に押さえ部材５６を装着した状態で下方本体部１３と上方本体部１５とを一体化すると、保護筒５５が下方本体部１３と押さえ部材５６とによって挟まれ、図１０や図１１に示す姿勢で上下方向に移動不可能な状態となり、しっかりと支持される。
【００７４】
濾過装置１０を図１０や図１１に示すような構成とした場合は、保護筒５５や押さえ部材５６がフィルター３０に沿うように配されている。そのため、保護筒５５等を設けた構成とすれば、濾過作業中にフィルター３０に対して水圧がかかってもフィルター３０が保護筒５５や押さえ部材５６の蓋部５７ａの内壁面に張り付いた状態となり、フィルター３０に対して引っ張り力が殆ど作用しない。また、上記したような構成とした場合は、保護筒５５がパンチングメタルや金網のような多孔性の構造で作成されているため、フィルター３０が保護筒５５に張り付いても濾過能力が低下しない。そのため、濾過装置１０は、図１０や図１１に示すような構成とすることにより、フィルター３０に無理な応力が作用するのを防止でき、フィルター３０の損傷を最小限に抑制することができる。なお、保護筒５５は、必ずしも金属製である必要はなく、樹脂等により形成されたものであってもよい。
【００７５】
上記したように、図１０や図１１に示すような構成とした場合は、フィルター３０に対して水圧がかかった際に、フィルター３０が保護筒５５に加えて蓋部５７ａにも張り付いた状態になる可能性がある。そのため、蓋部５７ａについても保護筒５５と同様にパンチングメタルや金網等で作成することが望ましい。
【００７６】
上記した撒液システム１において採用されている撒液用チューブ５は、従来公知のチューブを採用することができるが、屈曲自在であり、繰り返して屈曲させたり、荷重がかかってもひび割れ等を生じないような機械的強度に優れたものや、耐候性や耐薬品性、耐膨潤性、耐熱性、耐寒性、耐引裂性、耐衝撃性等に優れたものであることが好ましい。さらに具体的には、撒液用チューブ５は、例えばポリエチレン、ポリ塩化ビニル、ポリ塩化ビニリデン、ポリアミド、ポリエステル等の熱可塑性樹脂、天然ゴム、合成ゴム、或いは、エラストマー等から選択されたものを素材としたり、これらの素材を適宜組み合わせて作製されたものとすることが可能である。また、撒液用チューブ５は、前記したような素材に加えて、必要に応じて紫外線防止剤や抗酸化剤、着色剤、その他の添加剤を含有させてもよい。また、撒液用チューブ５は、収納、運搬等する際に取り扱いが容易になるように巻き取り可能な程度に屈曲自在であることが望ましい。
【００７７】
上記実施形態の撒液システム１は、井戸や河川から汲み上げた農業用水を濾過装置１０で濾過して撒液用チューブ５から農地Ｆに散布するものであったが、本発明はこれに限定されるものではなく、例えば給水流路３の中途で液体肥料等を農業用水に混入する構成としてもよい。すなわち、撒液システム１および濾過装置１０を通過する液体は、農業用水（水）に限定されるものではなく、他の物質を混合あるいは溶解した液体等であってもよい。
【００７８】
上記した濾過装置１０は、図２や図６、図１１等に示すように、集積部１９の下端部分が平坦であったが、本発明はこれに限定されるものではなく、排出部２０に向けて下り勾配を付けたスロープ状の形状としてもよい。かかる構成によれば、集積部１９に残存している砂や泥等の異物や農業用水等の残留物を排出部２０からスムーズに排出することができる。
【００７９】
また、上記実施形態の濾過装置１０は、出水口１７および入水口１８が設けられた高さ（上下方向の位置）が異なるものであったが、本発明はこれに限定されるものではなく、例えば図１２や図１３に示すように本体部１１の側方から入水口１８が貫通し、本体部１１の内側に設けられた入水室１２と連通した構造とすることも可能である。かかる構成とすれば、濾過装置１０に対して接続される給水流路３の高さを揃えることができ、濾過装置１０と給水流路３との接続を簡便に行える。
【００８０】
濾過装置１０は、本発明の一実施形態を示したものに過ぎず、本発明の濾過装置は、例えば図１４に示す濾過装置７０のようなものであってもよい。以下、濾過装置７０の構造について、図面を参照しながら詳細に説明する。なお、濾過装置７０において、濾過装置１０と同様の構造を有する部分については同一の符号を付し、詳細の説明については省略する。
【００８１】
濾過装置７０は、主要部が本体部７１によって構成されるものであり、本体部７１が架台９５によって支持されている。濾過装置７０は、図１５に示すように、本体部７１を構成する上方本体部７３の内部に円筒型のフィルター筒７２が取り付けられており、このフィルター筒７２の外側から上記実施形態において説明したフィルター３０を装着した構造となっている。すなわち、濾過装置７０は、上記した濾過装置１０と大部分の構成が共通しているが、本体部１１に設けられていたフィルター支持部材２２に代わってフィルター筒７２を設け、このフィルター筒７２に対してフィルター３０を装着した構成とされている。
【００８２】
さらに具体的に説明すると、本体部７１は、図１５や図１６に示すように、外観が略カプセル型の形状となっており、上方本体部７３と下方本体部７５とに分割可能な構造となっている。上方本体部７３の中央には、フィルター筒７２が差し込まれる筒状部７６が設けられている。上方本体部７３の側面には、出水口７７および入水口７８として機能する筒状の部分が存在する。出水口７７は、上方本体部７３の側面を貫通し、筒状部７６の内部空間と連通している。また、入水口７８は、上方本体部７３の内側であって、筒状部７６の外側の空間８０と連通している。
【００８３】
下方本体部７５の底部には、図１５や図１６に示すように、筒状部７６の外側に形成された空間８０と連通する排出口８１が設けられている。排出口８１には、必要に応じて取り外し可能な蓋が取り付けられており、常時は閉塞されている。
【００８４】
フィルター筒７２は、円筒形で籠状のフィルター筒本体８５に対して多数のフィルターリング８６を積み重ねた状態で装着し、フィルター筒本体８５のフランジ８７，８８によって挟み込んだ構造となっている。フィルターリング８６は、樹脂製であり、図１８に示すようにドーナツ状で平たい部材である。フィルターリング８６は、多数の溝８６ａが放射状に設けられている。そのため、図１５や図１６のように多数のフィルターリング８６を積み重ねて密着させた状態にすると、図１８（ｂ）に示すように溝８６ａによって形成された小さな開口９０がフィルター筒７２の全周にわたって形成される。開口９０の大きさは、撒液用チューブ５の目詰まりの原因となる砂や泥等のような異物が通過できない程度の大きさになる。
【００８５】
フィルター筒７２は、上方本体部７３の筒状部７６に対して差し込まれて連結されている。これにより、フィルター筒７２と筒状部７６の内部に形成された空間とが連通し、浄化水流入室９１が形成される。浄化水流入室９１は、フィルター筒７２の内部空間と、筒状部７６の内部空間とが連通して形成される空間であり、出水口７７と連通している。
【００８６】
フィルター筒７２には、図１５や図１７に示すように、フィルター３０が被せられ、固定されている。そのため、濾過装置７０は、フィルター３０とフィルター筒７２の２つのフィルターを農業用水が通過する構成とされている。また、濾過装置７０は、浄化水流入室９１側にフィルター筒７２が存在し、後述する入水室９２側にフィルター３０が存在する。
【００８７】
濾過装置７０は、上記したようにして上方本体部７３に対してフィルター筒７２を装着し、フィルター筒７２に対してフィルター３０を装着した状態とされた後、上方本体部７３の下方に下方本体部７５が取り付けられる。上方本体部７３と下方本体部７５とが一体化されると、フィルター筒７２や筒状部７６の外側に入水室９２が形成される。入水室９２は、筒状部７６の外側に形成された空間８０と下方本体部７５の内部空間とが一体化して形成される空間であり、入水口７８と連通している。
【００８８】
濾過装置７０は、上記した濾過装置１０と同様に給水流路３の中途に接続される。すなわち、給水流路３のうち上流側（給水源側）の配管が入水口７８に接続され、下流側の配管が出水口７７に接続される。そのため、給水流路３の中途に設けられたポンプ９が作動し、井戸等の給水源から汲み上げられた農業用水は、図１７に矢印で示すように入水口７８から入水室９２に流入する。
【００８９】
入水室９２に流入した農業用水は、フィルター筒７２に被せられたフィルター３０を通過し、フィルター筒７２側に流れ込む。この際、農業用水中に含まれている砂や泥等のような異物の大部分が、フィルター３０の表面に捕捉される。フィルター３０によって捕捉された異物は、フィルター３０の表面から下方に設けられた入水室９２内に沈降する。
【００９０】
一方、フィルター３０を通過した農業用水は、フィルター筒７２の外周に多数設けられた開口９０を通過して浄化水流入室９１に流入する。この際、フィルター３０を通過した農業用水中に、フィルター３０において捕捉しきれなかった異物が残存している場合であっても、この異物は開口９０を通過できず、浄化水流入室９１内に流入できない。従って、浄化水流入室９１内に流入した農業用水には、砂や泥等のような撒液用チューブ５の目詰まりの原因となるような異物は殆ど含まれていない。浄化水流入室９１内に流入した清浄な農業用水は、出水口７７を介して撒液用チューブ５に向けて送り出される。
【００９１】
フィルター３０によって捕捉された異物は、下方本体部７５の底部に設けられた排出口８１に装着された蓋を外すことにより排出することができる。また、フィルター筒７２によって捕捉された異物は、下方本体部７５とフィルター３０とを取り外すことにより取り除くことができる。
【００９２】
上記したように、上記した濾過装置７０は、フィルター３０に加えてフィルターリング８６を積層して構成されるフィルター筒７２とを備えた構成であり、２つのフィルターを備えた構成とされている。そのため、濾過装置７０によれば、農業用水をより一層清浄な状態として撒液用チューブ５に供給することができ、撒液用チューブ５の目詰まりを確実に防止できる。
【００９３】
上記した濾過装置１０，７０は、いずれも本発明の一実施形態を示したものに過ぎず、例えば図１９に示す濾過装置１００のようなものであってもよい。以下、濾過装置１００の構造について、図面を参照しながら詳細に説明する。なお、濾過装置１００は、上記した濾過装置７０と大部分の構成が共通するため、共通する部分については同一の符号を付し、詳細の説明については省略する。
【００９４】
図１９に示すように、濾過装置１００は、上記した本体部７１と同様にカプセル状の形状を有する本体部１０１を有し、この内部に接続部材１０３および旋回流発生部材１０５を配すると共に、接続部材１０３にフィルター筒７２を接続した構成とされている。本体部１０１は、本体構成部材１０６と本体構成部材１０７とに分割可能な構成とされている。
【００９５】
さらに具体的には、本体構成部材１０６は、有底で円筒状の部材であり、その外周部分に接続管１０８，１０９とが設けられた構成とされている。接続管１０８，１０９は、いずれも本体構成部材１０６の内部空間と連通している。接続管１０８，１０９は、それぞれ本体構成部材１０６の外側に向けて突出しており、給水流路３を配管接続可能な構成とされている。
【００９６】
本体構成部材１０６の内側には、後述する接続部材１０３を配置するための段部１０６ａが設けられている。段部１０６ａは、本体構成部１０６の径方向内側に向けて突出している。
【００９７】
本体構成部１０６の底部１０６ｂは、図１９に示すように、濾過装置１００の設置状態において略中央部に向けて下り勾配が付くように傾斜した形状とされている。底部１０６ｂの略中央部分には、排出口１０６ｃが設けられている。排出口１０６ｃには、ボールバルブなどのバルブ１０６ｄが取り付けられている。
【００９８】
本体構成部材１０７は、筒状で頂部が半球状の部材である。本体構成部材１０７は、本体構成部材１０６に対して水密に接続可能な構成とされている。本体構成部材１０７を本体構成部材１０６に接続すると、接続管１０８を介して外部から農業用水を導入可能な入水室１１０（処理液流入部）が形成される。
【００９９】
接続部材１０３は、図２２に示すように座部１１１と、フィルター筒接続部１１２と、出水口１１３とを有する。座部１１１は、外径が本体構成部材１０６の内径と略同一の円盤状とされており、その外周部分に複数の連通孔１１１ａを有する。
【０１００】
フィルター筒接続部１１２は、座部１１１の略中央部分から、座部１１１に対して略垂直に立ち上がった円筒状の部分であり、底部が座部１１１によって閉塞されている。フィルター筒接続部１１２の開口部分には、上記したフィルター筒７２を構成するフィルター筒本体８５の端部が差し込まれ、水密状態となるように接続されている。これにより、フィルター筒８５の内側に浄化水流入室１１４が形成されている。
【０１０１】
フィルター筒７２の上端側および下端側には、図２１に示すように外周に溝を有するリング状の濾材締結部材１０２ａが取り付けられている。フィルター筒７２には、図２０に示すような筒状のフィルター１０４がフィルター筒７２の外周を囲むように被せられている。フィルター１０４は、図１９に示すように、上端側および下端側の部位を濾材締結部材１０２ａの溝に嵌るように取り付けられたバンド状あるいはリング状の固定具１０２ｂによって挟み込むことにより固定されている。
【０１０２】
フィルター１０４は、上記したフィルター３０と同様の素材で作成されており、同様の濾過性能を有する。そのため、濾過装置１００は、フィルター筒７２の外側に形成された入水室１１０側から浄化水流入室１１４側に向かう方向に農業用水を流すことにより、この農業用水中に含まれている砂や泥等の異物を捕捉することができる構成となっている。
【０１０３】
出水口１１３は、フィルター筒接続部１１２の外周面に連通した筒状の部分である。出水口１１３の端面１１３ａは、座部１１１の外周に沿うように湾曲している。
【０１０４】
図１９に示すように、接続部材１０３は、本体構成部材１０６の内側に、フィルター接続部１１２が上方（底部１０６ｂとは反対方向）に向けて突出するように配される。接続部材１０３を本体構成部材１０６の内側に配すると、座部１１１が段部１０６ａに引っかかり、空間が形成される。座部１１１の下方に形成される空間は、上記した濾過装置１０の集積部１９と同様に、農業用水を濾過することにより捕捉された砂や泥が集まる集積部１１５として機能する。集積部１１５は、座部１１１に設けられた連通孔１１１ａを介して座部１１１よりも上方の空間１１９と連通している。
【０１０５】
また、接続部材１０３は、出水口１１３の開口が本体構成部材１０６に設けられた接続管１０９と連通するように配置される。そのため、濾過装置１００は、接続管１０９が接続部材１０３のフィルター筒接続部１１２の内側と連通している。
【０１０６】
旋回流発生部材１０５は、図２３に示すように平面視が略円形の内輪部１１６と、これよりも大径の外輪部１１７とを有し、これらの間に複数の羽根１１８を取り付けた構成とされている。内輪部１１６は、内径が上記した接続部材１０３のフィルター筒１１２の外径と略同一であり、外輪部１１７と中心が略合致するように配されている。また、外輪部１１７は、外径が本体構成部材１０６の内径と略同一とされている。
【０１０７】
羽根１１８は、板状の部材であり、内輪部１１６および外輪部１１７に対して螺旋状に取り付けられている。内輪部１１６と外輪部１１７との間に形成された空間に、内輪部１１６の周方向に複数、周方向に略等間隔に並べて取り付けられている。旋回流発生部材１０５は、図１９や図２４に示すように、接続部材１０３のフィルター筒接続部１１２を内輪部１１６に挿通した状態で取り付けられる。そのため、羽根１１８は、接続部材１０３にフィルター筒７２を接続した状態においてフィルター筒７２の延長方向に延びる軸Ｌを想定すると、この軸Ｌに対して傾斜した螺旋状の面を形成している。
【０１０８】
旋回流発生部材１０５を接続部材１０３に取り付けた状態において、上記した接続管１０８は、接続部材１０３の座部１１１と旋回流発生部材１０５との間に形成される空間１１９に開口した状態になる。そのため、図２５に矢印で示すように、接続管１０８を介して外部から空間１１９に農業用水を導入すると、農業用水は旋回流発生部材１０５の下方から上方に向かい、羽根１１８に沿って流れる旋回流として入水室１１０内に流入させることができる。
【０１０９】
本実施形態の濾過装置１００は、上記した濾過装置１０，７０と同様に給水流路３の中途に接続して使用される。さらに具体的には、給水流路３のうち上流側（給水源側）の部分の配管が接続管１０８に接続されると共に、下流側の配管が接続管１０９に接続される。
【０１１０】
濾過装置１００を給水流路３に接続した状態でポンプ９を作動させると、井戸等の給水源から汲み上げられた農業用水は、図２５に矢印で示すように接続管１０８を介して旋回流発生部材１０５と接続部材１０３の座部１１１との間に形成された空間１１９に流入する。空間１１９に流入した農業用水は、旋回流発生部材１０５に設けられた各羽根１１８に沿って流れて入水室１１０内に流入する。この際、入水室１１０に流入する農業用水は、フィルター筒７２およびこの外側に装着されたフィルター１０４に沿って流れる旋回流となる。
【０１１１】
入水室１１０に農業用水が流入すると、フィルター筒７２に被せられたフィルター１０４を通過してフィルター筒７２の内側に形成された浄化水流入室１１４内に流れ込む。この際、農業用水中に含まれている砂や泥等のような異物の大部分は、フィルター１０４の表面に捕捉される。フィルター１０４によって捕捉された異物は、旋回流となって入水室１１０に流れ込む農業用水の水流によりフィルター１０４の回りを循環するため、フィルター１０４の網目に噛み込んだり付着する可能性が低い。すなわち、本実施形態では、入水室１１０に流入し旋回流となってフィルター筒７２やフィルター１０４の外側を流れる農業用水の流れにより、異物がフィルター１０４の網目に噛み込んだり付着することによるフィルター１０４の目詰まりを緩和することができる。
【０１１２】
フィルター１０４を通過した農業用水は、フィルター筒７２の外周に多数設けられた開口９０を通過して浄化水流入室１１４内に流入する際にさらに濾過され、浄化される。そのため、農業用水は、浄化水流入室１１４に流入した時点で砂や泥等の異物を殆ど含まない清浄な状態になっている。浄化水流入室１１４に流入した農業用水は、接続管１０９を介して濾過装置１００の外部に取り出される。そして、この農業用水は、給水流路３やこれに接続された分配管６を通って各撒液用チューブ５に供給される。
【０１１３】
一方、ポンプ９を停止させ、濾過装置１００への農業用水の供給を停止すると、入水室１１０における農業用水の流れが停止し、農業用水の濾過中にフィルター１０４によって浄化水流入室１１４側への流入が阻止されていた異物が、入水室１１０に残存していた農業用水と共に下方に落下する。これにより、異物を含む農業用水は、座部１１１に設けられている連通孔１１１ａを介して集積部１１５に流入する。
【０１１４】
集積部１１５に流入した異物や農業用水は、ポンプ９の作動中、停止中にかかわらず本体構成部材１０６の底部１０６ｂに設けられたバルブ１０６ｄを開くことにより外部に排出することができる。なお、本実施形態では、底部の排出口１０６ｃにバルブ１０６ｄを設けた構成を例示したが、バルブ１０６ｄに代わって蓋部材等を設け、これを開くことにより農業用水や異物を排出できる構成としてもよい。
【０１１５】
上記したように、濾過装置１００は、浄化水流入室１１４を構成する筒状のフィルター筒７２の外側にフィルター１０４を被せたものであり、農業用水を入水室１１０に流入させると、この農業用水がフィルター１０４やフィルター筒７２に沿って流れる旋回流となり、フィルター１０４の全面に行き渡ることとなる。そのため、濾過装置１００のように農業用水が旋回流となる場合は、農業用水の水流がフィルター１０４の一部に集中してフィルターの一部だけが目詰まりすることによる濾過性能の低下といったような不具合が発生しにくく、フィルター１０４全体で略均一に農業用水を濾過することができる。すなわち、濾過装置１００では、フィルター１０４全体を農業用水の濾過のために有効利用することができる。
【０１１６】
濾過装置１００は、上記した濾過装置７０と同様に外周に多数の開口９０を持つフィルター筒７２にフィルター１０４を被せて使用される。そのため、本実施形態の濾過装置１００は、フィルター１０４に加えて、フィルター筒７２についても農業用水の濾過用のフィルターとして機能する。従って、濾過装置１００についても、濾過装置７０と同様に液体中に含まれている異物を確実に捕捉できる。
【０１１７】
濾過装置１００は、濾過装置７０と同様に、農業用水の濾過時にフィルター１０４側からフィルター筒７２側に向けて農業用水が流れる構成とされている。そのため、農業用水に含まれている異物は、先ずフィルター１０４によって捕捉されることとなり、フィルター筒７２側に流れ込む異物はごく少量であったり、フィルター筒７２に設けられた開口９０や撒液用チューブ５の小孔８の目詰まりの原因とならない程度の極微小な粒径のものであると想定される。従って、濾過装置１００は、フィルター筒７２の開口９０や撒液用チューブ５の小孔８が目詰まりする可能性が極めて低く、フィルター筒７２の洗浄や交換等のメンテナンスの実施頻度を最小限に抑制できる。
【０１１８】
上記した濾過装置１００は、濾過装置７０と同様にフィルター筒７２を有し、これに対してフィルター１０４を被せると共に、旋回流発生部材１０５を設けることによってフィルター１０４やフィルター筒７２に沿って流れる農業用水の旋回流を発生させる構成のものであったが、本発明はこれに限定されるものではない。さらに具体的には、フィルター筒７２に代えて、例えば上記した濾過装置１０に示したフィルター支持体２１のように支持部材２２を組み合わせて骨格構造を構成したものに対してフィルター３０やフィルター１０４を被せた構成としてもよい。
【０１１９】
上記した濾過装置１００は、本体構成部材１０６の内部に接続部材１０３を配し、これに旋回流発生部材１０５を装着した構成であったが、本発明はこれに限定されるものではなく、図２６や図２７に示す濾過装置１３０のような構成とすることも可能である。以下、濾過装置１３０の構成について説明する。なお、濾過装置１３０は、上記した濾過装置１００と大部分が類似した構成であるため、共通する部分については詳細の説明を省略する。
【０１２０】
濾過装置１３０は、上記した濾過装置１００の本体構成部材１０７に相当する部分を図２８に示すような本体構成部材１３１で構成しているが、本体構成部材１０６に相当する部分を本体構成部材１３２，１３３により構成し、必要に応じて本体構成部材１３２，１３３を上下に分割できる構成としている点等で上記した濾過装置１００と構成が異なる。
【０１２１】
さらに具体的には、本体構成部材１３２は、上記した本体構成部１０６を構成する円筒状の胴体部分に相当し、図２９に示すように上端側および下端側にネジ溝１３２ａ，１３２ｂが設けられており、本体構成部材１３１の下端部および本体構成部材１３２の上端部とネジ嵌合可能な構成とされている。本体構成部材１３２の外周部には、接続管１３５，１３６が設けられており、これを介して給水流路３に対して配管接続可能な構成とされている。
【０１２２】
本体構成部材１３２は、内部に濾過装置１００における接続部材１０３に相当する部分を一体化して設けた構成とされている点に特徴を有する。すなわち、本体構成部材１３２の内部には、座部１３７およびフィルター筒接続部１３８が設けられている。座部１３７は、上記した接続部材１０３の座部１１１に相当するものであり、フィルター筒接続部１３８は、フィルター筒接続部１１２に相当するものである。フィルター筒接続部１３８は、上記した接続管１３６と連通している。また、座部１３７には、多数の開口１３９が設けられいる。
【０１２３】
本体構成部材１３３は、上記した本体構成部１０６の底部側の部位に相当するものであり、図３０に示すように鉢状の形状とされている。本体構成部材１３３の上端側には、ネジ溝１３３ａが設けられており、これを介して上記した本体構成部材１３２に対して着脱可能な構成とされている。本体構成部材１３２の底部には排出口１３３ｂが設けられており、常時は蓋部材１３３ｃによって閉鎖されている。
【０１２４】
濾過装置１３０は、図２７に示すように本体構成部材１３１〜１３３を一体化することにより内部に構成される入水室１４０（処理液流入部）内にフィルター筒７２および旋回流発生手段１０５を取り付け、フィルター筒７２にフィルター１０４を装着した構成とされている。さらに具体的には、フィルター筒７２は、本体構成部材１３２のフィルター筒接続部１３８に差し込まれ、固定されている。これにより、フィルター筒７２の内部に浄化液流入室１４１が形成されている。また、旋回流発生手段１０５は、図２７に示すように本体構成部材１３２の座部１３７とフィルター筒７２の底側とで挟まれるように配されている。フィルター１０４は、上記した濾過装置１００の場合と同様に、フィルター筒７２に覆い被さるように装着され、フィルター筒７２の上端側および下端側の部位を濾材締結部材１０２ａおよび固定具１０２ｂによって挟み込むことにより固定されている。
【０１２５】
濾過装置１３０についても、上記した濾過装置１００と同様にして使用される。すなわち、濾過装置１３０は、給水流路３のうち上流側の部分の配管が接続管１３５に接続されると共に、給水流路３の下流側の部分の配管が接続管１３６に接続される。このように配管接続した状態でポンプ９を作動させると、図２７に矢印で示すように井戸等から汲み上げられた農業用水が旋回流発生手段１０５の下方から入水室１４０内にフィルター筒７２およびフィルター１０４に沿って流れる旋回流となって流入する。
【０１２６】
入水室１４０に流入した農業用水は、フィルター１０４およびフィルター筒７２を通過して、浄化水流入室１１４内に流れ込む。この際、農業用水中に含まれている砂や泥等のような異物の大部分は、フィルター１０４の表面にいったん捕捉されるが、フィルター１０４の表面を旋回流となって流れる農業用水によって大部分が取り去られるため、フィルター１０４の網目に噛み込んだり、付着した状態とならない。フィルター１０４およびフィルター筒７２の外周に多数設けられた開口９０を通過して浄化水流入室１１４内に流入し、浄化された農業用水は、接続管１３６を介して濾過装置１３０の外部に取り出され、各撒液用チューブ５に供給される。
【０１２７】
濾過装置１３０は、ポンプ９を停止させ農業用水の供給を停止すると、入水室１４０における農業用水の流れが停止、入水室１４０内を落下する。これに伴い、入水室１４０内やフィルター１０４に付着している異物が入水室１４０を落下する農業用水と共に落下し、本体構成部材１３２の底部に設けられた開口１３９を介して本体構成部材１３３側に落下する。これにより、異物を含む農業用水は、本体構成部材１３３内に集まる。そのため、ポンプ９を停止させた後、本体構成部材１３３を本体構成部材１３２から取り外せば、濾過によって除去された異物を外部に排出することができる。
【０１２８】
また、濾過装置１３０についても、上記した濾過装置１００と同様に本体構成部材１３３の底部に排出口を設け、これにボールバルブなどのバルブを取り付けた構成とすることも可能である。かかる構成とした場合は、ポンプ９が動作中であるか否かにかかわらず前記したバルブを開くことにより本体構成部材１３３内に集まった異物や農業用水を外部に排出することができる。
【０１２９】
濾過装置１３０は、濾過装置１００と同様に農業用水を流入させると、この農業用水がフィルター１０４やフィルター筒７２に沿って流れる旋回流となる構成となっている。そのため、濾過装置１３０は、濾過装置１００と同様に濾過対象である異物を含む農業用水がフィルター１０４全体に略均等に行き渡ることとなり、フィルター１０４が一部だけで異物で目詰まりするのを防止でき、フィルター１０４の交換や清掃等のメンテナンスの頻度を最小限に抑制することができる。
【０１３０】
また、濾過装置１３０は、本体構成部材１３１内に上記した濾過装置１００の接続部材１０３に相当する部分を組み込んで一体化した構成であるため、部品点数が少なく製造コストを安価とすることができるばかりか、水流の影響を受けても接続部材１０３に相当する部分やこれに装着されたフィルター筒７２、旋回流発生部材１０５の位置決め精度が高い。そのため、濾過装置１３０のような構成とすれば、水流の大小にかかわらず安定した濾過性能を発揮することができる。
【０１３１】
濾過装置１３０は、本体構成部材１３２，１３３がネジ嵌合しており、両者を分解することにより濾過を終了した際に内部に残存している農業用水や補足された異物を一気に排出することができる。そのため、濾過装置１３０は、濾過完了後のメンテナンスも容易である。
【実施例】
【０１３２】
以下、本発明の実施例について説明する。
図３１は、本発明の一実施形態である撒液システム１について、濾過装置１０に用いるフィルター３０の材質と濾過能力との関係についての試験方法を模式的に示した概念図である。また、表１は、上記実施形態に示した撒液システム１において濾過装置１０のフィルターの材質を変更して撒液試験を行った結果を示すものである。
【０１３３】
撒液システム１は、図３１に示すように農地Ｆに灌水するための灌水流路２と、河川や農業用の井戸から汲み上げられる農業用水に相当する水を給水源Ｗから汲み上げて灌水流路２に水を供給する給水流路３とから構成されている。灌水流路２は、農地Ｆに対して４本の撒液用チューブ５を３０［ｍ］に渡って略平行に並べることによって構成した。撒液用チューブ５には、住化農業資材株式会社製の商品名「スミサンスイＲ−ハウスワイド」（チューブ折径６２［ｍｍ］，相当径３４［ｍｍ］）を採用した。４本の撒液用チューブ５は、それぞれ分配管６を介して給水流路３に接続した。
【０１３４】
本実施例では、上記したような撒液システム１において、給水源Ｗから汲み上げられる水は、粒度分布が５０〜２００［μｍ］の粘土鉱物を０．０５［重量％］含む水であった。本実施例では、濾過装置１０のフィルター３０として、上記実施形態において例示した単繊維の経糸３１ａと緯糸３１ｂとを編んだ単繊維性の布（サンプルＡ）を採用した場合と、不織布（サンプルＢ）および金網（サンプルＣ）を採用した。サンプルＡ〜Ｃの目開きは、それぞれ１００［μｍ］に統一した。
【０１３５】
本実施例では、上記した装置構成の下、総給水量が１６４［リットル／分］、すなわち各撒液用チューブ５に対する給水量が４１［リットル／分・本］となるように給水量を調整し、１日に１５分間の散水を４回行う実験を２週間に渡って行った。また、２日おきに非通水の状態で濾過装置１０の排出部２０の蓋２０ａを開き、集積部１９に溜まった泥や砂等の捕集物を排出した。
【０１３６】
【表１】
2006320317.tif 000003
【０１３７】
以下、上記した条件下で撒液試験を行った結果について表１を参照しながら説明する。表１に示すように、本実施例では、サンプルＡ〜Ｃをフィルター３０として採用し、上記したような撒液試験を行う前後におけるフィルター３０の重量差を算出すると共に、撒液試験後のフィルター３０の清浄度を目視で確認した。また、撒液試験中における撒液状態の変化について、撒液用チューブ５における水の吐出状態や撒液後における農地Ｆの湿潤状態を目視で確認した。
【０１３８】
上記した撒液試験の結果、表１に示すように、フィルター３０としてナイロン製の単繊維を編み込んだ布（サンプルＡ）を採用した場合は、フィルター３０の重量が３．０［ｇ］増加しただけであり、撒液試験後のフィルター３０を目視しても泥や砂等の異物は殆ど噛み込んでいなかった。また、撒液用チューブ５は、撒液試験の試験期間中に渡って全く目詰まりを起こさず、散水分布や散水量が適正であり、撒液状況が極めて良好であった。
【０１３９】
一方、フィルター３０として不織布（サンプルＢ）を採用した場合は、撒液試験の前後でフィルター３０の重量が４２０［ｇ］増加した。また、撒液試験後のフィルター３０を目視すると、複雑に入り組んだ繊維同士の間に泥や砂等の異物が噛み込んでおり、サンプルＡ〜Ｃのうちで最も清浄度が低かった。また、撒液用チューブ５は、撒液試験開始から８日目に完全に目詰まりし、撒液不可能な状態となった。
【０１４０】
また、フィルター３０として金網（サンプルＣ）を採用した場合は、撒液試験の前後でフィルター３０の重量が６０［ｇ］増加した。また、撒液試験後のフィルター３０を目視すると、一部の網目に泥や砂等の異物が噛み込んでおり、単繊維製の布をフィルター３０としたサンプルＡよりも清浄度が低かった。また、撒液用チューブ５における撒液量は、撒液試験開始から徐々に減少した。そのため、撒液試験開始日から２週間経過すると、１５分に渡る撒液試験の終了時から１時間経過した時点で農地Ｆが乾燥する撒液不良箇所が発生した。
【０１４１】
上記した撒液試験により、単繊維を編み込んだ布（サンプルＡ）をフィルター３０として採用することにより、不織布（サンプルＢ）や金網（サンプルＣ）をフィルター３０として採用する場合に比べてフィルター３０の目詰まりを確実に防止できた。従って、上記した撒液試験により単繊維を編み込んだ布（サンプルＡ）がフィルター３０として最適であることが判明した。
【図面の簡単な説明】
【０１４２】
【図１】本発明の一実施形態である撒液システムを概念的に示す斜視図である。
【図２】図１に示す撒液システムにおいて採用される濾過装置を示す分解斜視図である。
【図３】図２に示す濾過装置を示す断面図である。
【図４】（ａ）は図３のＡ方向矢視図であり、（ｂ）は図３のＢ方向矢視図である。
【図５】（ａ）は図２に示す濾過装置において採用されているフィルターを示す斜視図であり、（ｂ）は（ａ）のＡ部拡大図、（ｃ）は（ａ）のＢ方向矢視図である。
【図６】図２に示す濾過装置の変形例を示す断面図である。
【図７】図６に示す濾過装置を示す断面図である。
【図８】図２に示す濾過装置の別の変形例を示す断面図である。
【図９】図２に示す濾過装置のさらに別の変形例を示す断面図である。
【図１０】図２に示す濾過装置の変形例を示す断面図である。
【図１１】図１０に示す濾過装置の分解図である。
【図１２】図２に示す濾過装置のさらに別の変形例を示す図であり、（ａ）は当該濾過装置の天面図、（ｂ）は当該濾過装置の正面図である。
【図１３】図１２に示す濾過装置の断面図である。
【図１４】図１２に示す濾過装置のさらに別の変形例を示す正面図である。
【図１５】図１４に示す濾過装置の分解図である。
【図１６】図１４に示す濾過装置を構成する本体部を示す断面図である。
【図１７】図１４に示す濾過装置の断面図である。
【図１８】（ａ）は図１４に示す濾過装置において採用されているフィルターリングを示す正面図であり、（ｂ）は図１５のＡ部拡大図である。
【図１９】本発明の一実施形態にかかる濾過装置を示す断面図である。
【図２０】図１９に示す濾過装置で採用されているフィルターを示す斜視図である。
【図２１】（ａ）は図１９に示す濾過装置で採用されている濾材締結部材を示す正面図であり、（ｂ）は（ａ）のＡ−Ａ断面図、（ｃ）は（ａ）の側面図、（ｄ）は（ａ）に示す濾材締結装部材と固定具とによるフィルターの取り付け状態を示す断面図である。
【図２２】図１９に示す濾過装置で採用されている接続部材を示す斜視図である。
【図２３】（ａ）は図１９に示す濾過装置で採用されている旋回流発生部材を示す正面図であり、（ｂ），（ｃ）は（ａ）の側面図、（ｄ）は（ａ）のＡ−Ａ断面図、（ｅ）は（ａ）の斜視図、（ｆ）は（ａ）の裏面図である。
【図２４】図１９に示す濾過装置で採用されている本体構成部材に対して接続部材と旋回流発生部材を組み付けた状態を示す斜視図である。
【図２５】図１９に示す濾過装置において発生する水流の流れを示す斜視図である。
【図２６】図１９に示す実施形態の変形例にかかる濾過装置を示す斜視図である。
【図２７】図２６に示す濾過装置の内部構造を示す断面図である。
【図２８】（ａ）は図２６に採用されている本体部構成部材の平面図であり、（ｂ）は（ａ）のＡ−Ａ断面図である。
【図２９】（ａ）は図２６に採用されている本体部構成部材の斜視図であり、（ｂ）は（ａ）の側面図、（ｃ）は（ａ）の断面図、（ｄ）は（ａ）の天面図である。
【図３０】（ａ）は図２６に採用されている本体部構成部材の平面図であり、（ｂ）は（ａ）の天面図、（ｃ）は（ｂ）のＡ−Ａ断面図、（ｄ）は（ｂ）のＢ−Ｂ断面図である。
【図３１】本発明の実施例にかかる濾過装置の試験方法の概略を示す概念図である。
【符号の説明】
【０１４３】
１  撒液システム
５  撒液用チューブ
１０，７０，１００，１３０  濾過装置
１１，７１，１０１  本体部
１２，９２，１１０，１４０  入水室（処理液流入室）
１３，７３  下方本体部
１５，７５  上方本体部
１９，１１５  集積部
２０  排出部
２１  フィルター支持体（骨格構造部）
３０，１０４  フィルター
３１  布
３１ａ  経糸
３１ｂ  緯糸
３１ｃ  交差部
３６，１１４，１４０  浄化液流入室
４１  噴霧手段
５０  シャワーヘッド
５３  保護部材
５５  保護筒
５６  押さえ部材
１０６，１０７，１３１，１３２，１３３  本体構成部材
１０５  旋回流発生部材
１１８  羽根
【図１】
2006320317.tif 000004
【図２】
2006320317.tif 000005
【図３】
2006320317.tif 000006
【図４】
2006320317.tif 000007
【図５】
2006320317.tif 000008
【図６】
2006320317.tif 000009
【図７】
2006320317.tif 000010
【図８】
2006320317.tif 000011
【図９】
2006320317.tif 000012
【図１０】
2006320317.tif 000013
【図１１】
2006320317.tif 000014
【図１２】
2006320317.tif 000015
【図１３】
2006320317.tif 000016
【図１４】
2006320317.tif 000017
【図１５】
2006320317.tif 000018
【図１６】
2006320317.tif 000019
【図１７】
2006320317.tif 000020
【図１８】
2006320317.tif 000021
【図１９】
2006320317.tif 000022
【図２０】
2006320317.tif 000023
【図２１】
2006320317.tif 000024
【図２２】
2006320317.tif 000025
【図２３】
2006320317.tif 000026
【図２４】
2006320317.tif 000027
【図２５】
2006320317.tif 000028
【図２６】
2006320317.tif 000029
【図２７】
2006320317.tif 000030
【図２８】
2006320317.tif 000031
【図２９】
2006320317.tif 000032
【図３０】
2006320317.tif 000033
【図３１】
2006320317.tif 000034